(57)【特許請求の範囲】
【請求項１】
利用者検出装置が乗客コンベアを利用する利用者を検出している際に、利用者を検出していることを示す情報を受信する受信部と、
前記受信部が利用者を検出していることを示す情報を受信していない場合に、移動手摺の速度を検出する手摺遅速検出装置の検出精度を確認するための前記乗客コンベアと前記手摺遅速検出装置との動作の制御を行う制御部と、
を備えた乗客コンベアの制御装置。
【請求項２】
前記制御部は、前記手摺遅速検出装置の検出精度を確認するための前記乗客コンベアと前記手摺遅速検出装置との動作の制御を行っている際に前記受信部が利用者を検出していることに対応した情報を受信した場合に、前記手摺遅速検出装置の検出精度を確認するための前記乗客コンベアと前記手摺遅速検出装置との動作の制御を停止する請求項１に記載の乗客コンベアの制御装置。
【請求項３】
前記制御部が前記手摺遅速検出装置の検出精度を確認するための前記乗客コンベアと前記手摺遅速検出装置との動作の制御を行っていない際に前記手摺遅速検出装置が前記移動手摺の遅れを検出した場合に、前記移動手摺の遅れを示す情報を外部に送信し、前記制御部が前記手摺遅速検出装置の検出精度を確認するための前記乗客コンベアと前記手摺遅速検出装置との動作の制御を行っている際に前記手摺遅速検出装置が前記移動手摺の遅れを検出した場合に、前記移動手摺の遅れを示す情報を外部に送信しない送信部、
を備えた請求項１または請求項２に記載の乗客コンベアの制御装置。
【請求項４】
前記制御部が前記手摺遅速検出装置の検出精度を確認するための前記乗客コンベアと前記手摺遅速検出装置との動作の制御を行っている際に前記移動手摺のスリップ率の測定値の情報を記憶する記憶部、
を備えた請求項３に記載の乗客コンベアの制御装置。
【請求項５】
前記制御部は、前記手摺遅速検出装置の検出精度を確認するための前記手摺遅速検出装置の動作の制御として前記手摺遅速検出装置のローラを前記移動手摺との接触から解放させ、
前記送信部は、前記ローラと前記移動手摺との接触の解放から予め設定された時間内に前記乗客コンベアが停止しない場合に、異常を示す情報を外部に送信する請求項４に記載の乗客コンベアの制御装置。
【請求項６】
前記制御部は、前記ローラと前記移動手摺との接触の解放から予め設定された時間内に前記乗客コンベアが停止しない場合に、前記乗客コンベアのブレーキを動作させる請求項５に記載の乗客コンベアの制御装置。
【請求項７】
前記記憶部は、前記制御部が前記手摺遅速検出装置の検出精度を確認するための前記手摺遅速検出装置の動作の制御として前記手摺遅速検出装置のローラを前記移動手摺との接触から解放させた後における前記乗客コンベアのブレーキによる前記乗客コンベアの停止距離を示す情報を記憶する請求項５または請求項６に記載の乗客コンベアの制御装置。
【請求項８】
利用者検出装置が乗客コンベアを利用する利用者を検出している際に、利用者を検出していることを示す情報を受信する受信工程と、
前記受信工程において利用者を検出していることを示す情報を受信していない場合に、移動手摺の速度を検出する手摺遅速検出装置の検出精度を確認するための前記乗客コンベアと前記手摺遅速検出装置との動作の制御を行う制御工程と、
を備えた乗客コンベアの制御方法。
【請求項９】
前記制御工程は、前記手摺遅速検出装置の検出精度を確認するための前記乗客コンベアと前記手摺遅速検出装置との動作の制御を行っている際に前記受信工程において利用者を検出していることに対応した情報を受信した場合に、前記手摺遅速検出装置の検出精度を確認するための前記乗客コンベアと前記手摺遅速検出装置との動作の制御を停止する工程を含む請求項８に記載の乗客コンベアの制御方法。
【請求項１０】
前記制御工程において前記手摺遅速検出装置の検出精度を確認するための前記乗客コンベアと前記手摺遅速検出装置との動作の制御を行っていない際に前記手摺遅速検出装置が前記移動手摺の遅れを検出した場合に、前記移動手摺の遅れを示す情報を外部に送信し、前記制御工程において前記手摺遅速検出装置の検出精度を確認するための前記乗客コンベアと前記手摺遅速検出装置との動作の制御を行っている際に前記手摺遅速検出装置が前記移動手摺の遅れを検出した場合に、前記移動手摺の遅れを示す情報を外部に送信しない送信工程、
を備えた請求項８または請求項９に記載の乗客コンベアの制御方法。
【請求項１１】
前記制御工程において前記手摺遅速検出装置の検出精度を確認するための前記乗客コンベアと前記手摺遅速検出装置との動作の制御を行っている際に前記移動手摺のスリップ率の測定値の情報を記憶する記憶工程、
を備えた請求項１０に記載の乗客コンベアの制御方法。
【請求項１２】
前記制御工程は、前記手摺遅速検出装置の検出精度を確認するための前記手摺遅速検出装置の動作の制御として前記手摺遅速検出装置のローラを前記移動手摺との接触から解放させる工程を含み、
前記送信工程は、前記ローラが前記移動手摺との接触の解放から予め設定された時間内に前記乗客コンベアが停止しない場合に、異常を示す情報を外部に送信する工程を含む請求項１１に記載の乗客コンベアの制御方法。
【請求項１３】
前記制御工程は、前記ローラが前記移動手摺との接触の解放から予め設定された時間内に前記乗客コンベアが停止しない場合に、前記乗客コンベアのブレーキを動作させる工程を含む請求項１２に記載の乗客コンベアの制御方法。
【請求項１４】
前記記憶工程は、前記制御工程において前記手摺遅速検出装置の検出精度を確認するための前記手摺遅速検出装置の動作の制御として前記手摺遅速検出装置のローラを前記移動手摺との接触から解放させた後における前記乗客コンベアのブレーキによる前記乗客コンベアの停止距離を示す情報を記憶する工程を含む請求項１１または請求項１２に記載の乗客コンベアの制御方法。
【発明の詳細な説明】
【技術分野】
【０００１】
この発明は、手摺遅速検出装置による精度確認機能を備えた乗客コンベアの制御装置および制御方法に関する。
【背景技術】
【０００２】
特許文献１は、手摺遅速検出装置を開示する。当該手摺遅速検出装置によれば、ステップの移動に対する移動手摺の遅れを検出することができる。
【先行技術文献】
【特許文献】
【０００３】
【特許文献１】日本特開２００８−１７９４３７号公報
【発明の概要】
【発明が解決しようとする課題】
【０００４】
しかしながら、特許文献１に記載の手摺遅速検出装置の精度確認を行う際、インナーデッキを取り外して乗客コンベアを運転しながら手摺遅速検出装置のローラを持ち上げる必要がある。このため、手摺遅速検出装置の点検作業に多くの時間がかかる。【０００５】
この発明は、上述の課題を解決するためになされた。この発明の目的は、手摺遅速検出装置の点検作業の時間を短くすることができる乗客コンベアの制御装置および制御方法を提供することである。
【課題を解決するための手段】
【０００６】
この発明に係る乗客コンベアの制御装置は、利用者検出装置が乗客コンベアを利用する利用者を検出している際に、利用者を検出していることを示す情報を受信する受信部と、前記受信部が利用者を検出していることを示す情報を受信していない場合に、移動手摺の速度を検出する手摺遅速検出装置の検出精度を確認するための前記乗客コンベアと前記手摺遅速検出装置との動作の制御を行う制御部と、を備えた。
【０００７】
この発明に係る乗客コンベアの制御方法は、利用者検出装置が乗客コンベアを利用する利用者を検出している際に、利用者を検出していることを示す情報を受信する受信工程と、前記受信工程において利用者を検出していることを示す情報を受信していない場合に、移動手摺の速度を検出する手摺遅速検出装置の検出精度を確認するための前記乗客コンベアと前記手摺遅速検出装置との動作の制御を行う制御工程と、を備えた。
【発明の効果】
【０００８】
これらの発明によれば、利用者が検出されていないときに、手摺遅速検出装置の検出精度を確認するための制御が行われる。このため、手摺遅速検出装置の点検作業の時間を短くすることができる。
【図面の簡単な説明】
【０００９】
【図１】この発明の実施の形態１における乗客コンベアの制御装置が適用される乗客コンベアシステムの構成図である。
【図２】この発明の実施の形態１における乗客コンベアの制御装置が適用される乗客コンベアの調速機の側面図である。
【図３】図２のＡ−Ａ線における断面図である。
【図４】この発明の実施の形態１における乗客コンベアの制御装置が適用される乗客コンベアの手摺遅速検出装置の正面図である。
【図５】この発明の実施の形態１における乗客コンベアの制御装置が適用される乗客コンベアの手摺遅速検出装置の側面図である。
【図６】この発明の実施の形態１における乗客コンベアの制御装置が適用される乗客コンベアの手摺遅速検出装置の平面図である。
【図７】この発明の実施の形態１における乗客コンベアの制御装置が適用される乗客コンベアの手摺遅速検出装置の第１例の側面図である。
【図８】この発明の実施の形態１における乗客コンベアの制御装置が適用される乗客コンベアの手摺遅速検出装置の第１例の側面図である。
【図９】この発明の実施の形態１における乗客コンベアの制御装置が適用される乗客コンベアの手摺遅速検出装置の第２例の側面図である。
【図１０】この発明の実施の形態１における乗客コンベアの制御装置が適用される乗客コンベアの手摺遅速検出装置の第２例の側面図である。
【図１１】この発明の実施の形態１における乗客コンベアの制御装置が適用される乗客コンベアの手摺遅速検出装置の第３例の側面図である。
【図１２】この発明の実施の形態１における乗客コンベアの制御装置が適用される乗客コンベアの手摺遅速検出装置の第３例の側面図である。
【図１３】この発明の実施の形態１における乗客コンベアの制御装置のブロック図である。
【図１４】この発明の実施の形態１における乗客コンベアの制御装置の動作を説明するためのフローチャートである。
【図１５】この発明の実施の形態１における乗客コンベアの制御装置の動作を説明するためのフローチャートである。
【図１６】この発明の実施の形態１における乗客コンベアの制御装置のハードウェア構成図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略される。
【００１１】
実施の形態１．
図１はこの発明の実施の形態１における乗客コンベアの制御装置が適用される乗客コンベアシステムの構成図である。
【００１２】
図１の乗客コンベアは、エスカレーターである。例えば、乗客コンベアは、建築物の隣接階の一方から他方に跨るように設けられる。下部乗降口１は、乗客コンベアの下部に設けられる。下部乗降口１は、隣接階の下方階に設けられる。上部乗降口２は、乗客コンベアの上部に設けられる。上部乗降口２は、隣接階の上方階に設けられる。
【００１３】
下部機械室３は、下部乗降口１の直下に設けられる。上部機械室４は、上部乗降口２の直下に設けられる。複数のステップ５は、下部乗降口１と上部乗降口２との間において無端状に連結される。
【００１４】
一対のインナーデッキ６は、複数のステップ５の両外側に設けられる。一対のインナーデッキ６は、乗客コンベアの長手方向に沿うように設けられる。一対の移動手摺７は、複数のステップ５の両外側において無端状に設けられる。
【００１５】
一対の利用者検出装置８の一方は、下部乗降口１に設けられる。一対の利用者検出装置８の他方は、上部乗降口２に設けられる。一対の手摺遅速検出装置９の一方は、一対のインナーデッキ６の一方の側に設けられる。一対の手摺遅速検出装置９の他方は、一対のインナーデッキ６の他方の側に設けられる。
【００１６】
減速機１０は、上部機械室４に設けられる。調速機１１は、上部機械室４に設けられる。電動機１２は、上部機械室４に設けられる。ブレーキ１３は、上部機械室４に設けられる。制御装置１４は、上部機械室４に設けられる。
【００１７】
監視センタ１５は、乗客コンベアが設けられた建築物の外部に設けられる。例えば、監視センタ１５は、乗客コンベアの保守会社に設けられる。
【００１８】
乗客コンベアにおいて、制御装置１４は、電動機１２を回転させる。減速機１０は、電動機１２の回転に応じて動作する。複数のステップ５は、減速機１０の動作に応じて循環移動する。一対の移動手摺７は、減速機１０の動作に応じて循環移動する。その結果、一対の移動手摺７は、複数のステップ５と同期して循環移動し得る。
【００１９】
この際、一対の利用者検出装置８は、乗客コンベアを利用する利用者を検出する。具体的には、一対の利用者検出装置８の一方は、下部乗降口１において発した光が遮断されることで利用者を検出する。一対の利用者検出装置８の他方は、上部乗降口２において発した光が遮断されることで利用者を検出する。
【００２０】
一対の手摺遅速検出装置９は、移動手摺７の速度を検出する。具体的には、一対の手摺遅速検出装置９の一方は、一対の移動手摺７の一方の速度を検出する。一対の手摺遅速検出装置９の他方は、一対の移動手摺７の他方の速度を検出する。
【００２１】
制御装置１４は、一対の利用者検出装置８の検出結果と一対の手摺遅速検出装置９の検出結果とに基づいて乗客コンベアを制御する。例えば、一対の利用者検出装置８の双方が利用者を検出してない場合、制御装置１４は、一対の手摺遅速検出装置９の検出精度を確認するための制御を行う。この際、一対の手摺遅速検出装置９の検出結果に基づいた制御に異常がある場合は、制御装置１４は、公衆回線１６を通じて当該異常を示す情報を監視センタ１５に送信する。
【００２２】
次に、図２と図３とを用いて、乗客コンベアの緊急停止を説明する。
図２はこの発明の実施の形態１における乗客コンベアの制御装置が適用される乗客コンベアの調速機の側面図である。図３は図２のＡ−Ａ線における断面図である。
【００２３】
図２と図３とに示されるように、調速機１１は、円盤１１ａとキックピン１１ｂとバネ１１ｃとレバー１１ｄとスイッチ１１ｅとセンサ１１ｆとを備える。
【００２４】
円盤１１ａは、図２と図３とにおいては図示されない減速機１０の回転軸に取り付けられる。キックピン１１ｂは、円盤１１ａの外周の側に配置される。バネ１１ｃの一側は、円盤１１ａに固定される。バネ１１ｃの他側は、キックピン１１ｂに固定される。レバー１１ｄは、円盤１１ａの径方向の外側に配置される。スイッチ１１ｅは、レバー１１ｄに対応して設けられる。センサ１１ｆは、回転する円盤１１ａの２か所が通過するように配置される。
【００２５】
キックピン１１ｂは、円盤１１ａの回転速度に応じて遠心力により円盤１１ａの径方向の外側に移動する。乗客コンベアの速度が定格速度の１２０％から１３０％の速度となった際、キックピン１１ｂは、レバー１１ｄと接触する。その結果、レバー１１ｄが倒れる。レバー１１ｄが倒れると、スイッチ１１ｅが動作する。
【００２６】
この際、図２と図３とにおいては図示されない制御装置１４は、図２と図３とにおいては図示されないブレーキ１３を動作させる。その結果、乗客コンベアは、緊急停止する。
【００２７】
センサ１１ｆは、円盤１１ａが磁界を切るタイミングでパルスを発生させる。
【００２８】
この際、制御装置１４は、当該パルスに基づいて乗客コンベアの速度を監視する。乗客コンベアの速度が定格速度の２０％以下の速度となった際、制御装置１４は、ブレーキ１３を動作させる。その結果、乗客コンベアは、緊急停止する。
【００２９】
次に、図４から図６を用いて、手摺遅速検出装置９を説明する。
図４はこの発明の実施の形態１における乗客コンベアの制御装置が適用される乗客コンベアの手摺遅速検出装置の正面図である。図５はこの発明の実施の形態１における乗客コンベアの制御装置が適用される乗客コンベアの手摺遅速検出装置の側面図である。図６はこの発明の実施の形態１における乗客コンベアの制御装置が適用される乗客コンベアの手摺遅速検出装置の平面図である。
【００３０】
図４から図６に示されるように、手摺遅速検出装置９は、ローラ９ａと円盤９ｂと近接スイッチ９ｃとを備える。
【００３１】
ローラ９ａの外周は、帰路側の移動手摺７の内面に接触するように配置される。円盤９ｂは、ローラ９ａの回転軸に設けられる。近接スイッチ９ｃは、円盤９ｂが横切るように配置される。
【００３２】
ローラ９ａが移動手摺７に接触している際、ローラ９ａは、移動手摺７の移動速度に応じた速度で回転する。円盤９ｂは、ローラ９ａの回転速度と同じ回転速度で回転する。近接スイッチ９ｃは、円盤９ｂの回転数に応じたパルスを発生させる。
【００３３】
当該パルスの間隔が予め設定された間隔よりも長い間隔である時間が予め設定された時間以上続くと、乗客コンベアは緊急停止する。例えば、当該パルスの間隔が乗客コンベアの定格速度の２５％以下の速度に対応した間隔であり、当該状態が０．５秒以上続くと、乗客コンベアは緊急停止する。
【００３４】
次に、図７と図８とを用いて、手摺遅速検出装置９の機構の第１例を説明する。
図７と図８とはこの発明の実施の形態１における乗客コンベアの制御装置が適用される乗客コンベアの手摺遅速検出装置の第１例の側面図である。
【００３５】
図７と図８とに示されるように、手摺遅速検出装置９は、ピストン１７ａとシリンダ１７ｂとを備える。手摺遅速検出装置９は、ピストン１７ａとシリンダ１７ｂとの動作によりアームを持ち上げることでローラ９ａと移動手摺７との接触を制御する。
【００３６】
次に、図９と図１０とを用いて、手摺遅速検出装置９の機構の第２例を説明する。
図９と図１０とはこの発明の実施の形態１における乗客コンベアの制御装置が適用される乗客コンベアの手摺遅速検出装置の第２例の側面図である。
【００３７】
図９と図１０とに示されるように、手摺遅速検出装置９は、アクチュエータ１７ｃを備える。手摺遅速検出装置９は、アクチュエータ１７ｃの動作によりアームを持ち上げることでローラ９ａと移動手摺７との接触を制御する。
【００３８】
次に、図１１と図１２とを用いて、手摺遅速検出装置９の機構の第３例を説明する。
図１１と図１２とはこの発明の実施の形態１における乗客コンベアの制御装置が適用される乗客コンベアの手摺遅速検出装置の第３例の側面図である。
【００３９】
図１１と図１２とに示されるように、手摺遅速検出装置９は、ワイヤ１７ｄと滑車１７ｅとを備える。手摺遅速検出装置９は、滑車１７ｅに巻き掛けられたワイヤ１７ｄの動作によりアームを持ち上げることでローラ９ａと移動手摺７との接触を制御する。
【００４０】
次に、図１３を用いて、制御装置１４の概要を説明する。
図１３はこの発明の実施の形態１における乗客コンベアの制御装置のブロック図である。
【００４１】
図１３に示されるように、制御装置１４は、受信部１４ａと送信部１４ｂと記憶部１４ｃと制御部１４ｄとを備える。
【００４２】
受信部１４ａは、外部からの情報を受信する。例えば、利用者検出装置８が乗客コンベアを利用する利用者を検出している際、受信部１４ａは、利用者を検出していることを示す情報を利用者検出装置８から受信する。例えば、受信部１４ａは、移動手摺７の速度の情報を手摺遅速検出装置９から受信する。
【００４３】
送信部１４ｂは、外部へ情報を送信する。例えば、手摺遅速検出装置９が移動手摺７の遅れを検出した際、送信部１４ｂは、移動手摺７の遅れを示す情報を監視センタ１５に送信する。
【００４４】
記憶部１４ｃは、乗客コンベアに関する情報を記憶する。例えば、記憶部１４ｃは、乗客コンベアの診断運転時における移動手摺７のスリップ率の測定値の情報を記憶する。例えば、記憶部１４ｃは、乗客コンベアの診断運転時におけるブレーキ１３による乗客コンベアの停止距離を示す情報を記憶する。
【００４５】
制御部１４ｄは、乗客コンベアの全体を制御する。例えば、制御部１４ｄは、利用者検出装置８が利用者を検出した際に、電動機１２の動作を開始させる。例えば、手摺遅速検出装置９が移動手摺７の遅れを検出した際、制御部１４ｄは、ブレーキ１３を動作させることにより乗客コンベアを停止させる。
【００４６】
次に、図１４と図１５とを用いて、制御装置１４の動作を説明する。
図１４と図１５とはこの発明の実施の形態１における乗客コンベアの制御装置の動作を説明するためのフローチャートである。
【００４７】
診断運転が開始されると、ステップＳ１では、制御装置１４は、利用者検出装置８が利用者を検出しているか否かを判定する。例えば、制御装置１４は、ステップ５が１周する時間に３０秒を加えた時間の間に一対の利用者検出装置８の双方が利用者を検出したか否かを判定する。
【００４８】
ステップＳ１で利用者検出装置８が利用者を検出している場合、制御装置１４は、ステップＳ１の動作を行う。ステップＳ１で利用者検出装置８が利用者を検出していない場合、制御装置１４は、ステップＳ２の動作を行う。
【００４９】
ステップＳ２では、制御装置１４は、移動手摺７のスリップ率の測定を開始する。その後、制御装置１４は、ステップＳ３の動作を行う。ステップＳ３では、制御装置１４は、ステップ５が１周する間に利用者検出装置８が利用者を検出したか否かを判定する。ステップＳ３でステップ５が１周する間に利用者検出装置８が利用者を検出した場合、制御装置１４は、ステップＳ１の動作を行う。ステップＳ３でステップ５が１周する間に利用者検出装置８が利用者を検出しない場合、制御装置１４は、ステップＳ４の動作を行う。
【００５０】
ステップＳ４では、制御装置１４は、移動手摺７のスリップ率の測定値の情報を記憶する。その後、制御装置１４は、ステップＳ５の動作を行う。ステップＳ５では、制御装置１４は、手摺遅速検出装置９が移動手摺７の遅れを検出した場合に移動手摺７の遅れを示す情報を送信しない設定に切り替える。その後、制御装置１４は、ステップＳ６の動作を行う。
【００５１】
ステップＳ６では、制御装置１４は、ローラ９ａを移動手摺７との接触から解放させる。その後、制御装置１４は、ステップＳ７の動作を行う。ステップＳ７では、制御装置１４は、利用者検出装置８が利用者を検出しているか否かを判定する。ステップＳ７で利用者検出装置８が利用者を検出している場合、制御装置１４は、ステップＳ１の動作を行う。ステップＳ１で利用者検出装置８が利用者を検出していない場合、制御装置１４は、ステップＳ８の動作を行う。ステップＳ８では、制御装置１４は、予め設定された時間内に乗客コンベアが停止したか否かを判定する。
【００５２】
ステップＳ８で乗客コンベアが停止した場合、制御装置１４は、ステップＳ９の動作を行う。ステップＳ９では、制御装置１４は、手摺遅速検出装置９による遅速検知が正常であることを示す情報とブレーキ１３による乗客コンベアの停止距離を示す情報とを記憶する。この際、制御装置１４は、近接スイッチ９ｃが発生したパルスに基づいて乗客コンベアの停止距離を把握する。その後、診断運転が終了する。
【００５３】
ステップＳ８で乗客コンベアが停止しない場合、制御装置１４は、ステップＳ１０の動作を行う。ステップＳ１０では、制御装置１４は、ブレーキ１３を動作させる。その後、制御装置１４は、ステップＳ１１の動作を行う。ステップＳ１１では、制御装置１４は、異常を示す情報を監視センタ１５に送信する。その後、診断運転が終了する。
【００５４】
以上で説明した実施の形態１によれば、利用者が検出されていないときに、手摺遅速検出装置９の検出精度を確認するための制御が行われる。このため、手摺遅速検出装置９の点検作業の時間を短くすることができる。
【００５５】
また、手摺遅速検出装置９の検出精度を確認するための制御が行われる際、利用者が検出された場合は、手摺遅速検出装置９の検出精度を確認するための制御が停止される。このため、利用者は通常通りに乗客コンベアを利用することができる。
【００５６】
また、手摺遅速検出装置９の検出精度を確認するための制御が行われる際、移動手摺７のスリップ率の測定値が記憶される。このため、移動手摺７のスリップ率の測定値を自動で収集することができる。
【００５７】
また、手摺遅速検出装置９の検出精度を確認するための制御が行われている際に手摺遅速検出装置９が移動手摺７の遅れを検出した場合に、移動手摺７の遅れを示す情報は、外部に送信されない。このため、移動手摺７の遅れを示す情報が不必要に監視センタ１５に送信されることを抑制できる。
【００５８】
また、手摺遅速検出装置９の検出精度を確認するための制御が行われている際にローラ９ａと移動手摺７との接触の解放から予め設定された時間内に乗客コンベアが停止しない場合に、異常を示す情報が外部に送信される。このため、監視センタ１５において、手摺遅速検出装置９の検出結果に基づいた制御の異常を把握することできる。
【００５９】
また、手摺遅速検出装置９の検出精度を確認するための制御が行われている際にローラ９ａと移動手摺７との接触の解放から予め設定された時間内に乗客コンベアが停止しない場合に、ブレーキ１３が動作する。このため、点検作業時の安全性を確実に確保することができる。
【００６０】
また、ブレーキ１３による乗客コンベアの停止距離を示す情報が記憶される。このため、ブレーキ１３による乗客コンベアの停止距離を示す情報を自動で収集することができる。
【００６１】
なお、利用者検出装置８としてカメラを用いてもよい。この場合も、利用者が検出されていないときに、手摺遅速検出装置９の検出精度を確認するための制御が行われる。このため、手摺遅速検出装置９の点検作業の時間を短くすることができる。
【００６２】
次に、図１６を用いて、制御装置１４の例を説明する。
図１６はこの発明の実施の形態１における乗客コンベアの制御装置のハードウェア構成図である。
【００６３】
制御装置１４の各機能は、処理回路により実現される。例えば、処理回路は、少なくとも１つのプロセッサ１８ａと少なくとも１つのメモリ１８ｂとを備える。例えば、処理回路は、少なくとも１つの専用のハードウェア１９を備える。
【００６４】
処理回路が少なくとも１つのプロセッサ１８ａと少なくとも１つのメモリ１８ｂとを備える場合、制御装置１４の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１８ｂに格納される。少なくとも１つのプロセッサ１８ａは、少なくとも１つのメモリ１８ｂに記憶されたプログラムを読み出して実行することにより、制御装置１４の各機能を実現する。少なくとも１つのプロセッサ１８ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、メモリ１８ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００６５】
処理回路が少なくとも１つの専用のハードウェア１９を備える場合、処理回路は、例えば、単一回路、複合回路、プログラム化したプロセッサ、並列プログラム化したプロセッサ、ＡＳＩＣ、ＦＰＧＡ、ＰＬＤ、ＣＰＬＤ、またはこれらの組み合わせで実現される。例えば、制御装置１４の各機能は、それぞれ処理回路で実現される。例えば、制御装置１４の各機能は、まとめて処理回路で実現される。
【００６６】
制御装置１４の各機能について、一部を専用のハードウェア１９で実現し、他部をソフトウェアまたはファームウェアで実現してもよい。例えば、制御部１４ｄについては専用のハードウェア１９としての処理回路で実現し、制御部１４ｄの機能以外の機能については少なくとも１つのプロセッサ１８ａが少なくとも１つのメモリ１８ｂに格納されたプログラムを読み出して実行することにより実現してもよい。
【００６７】
このように、処理回路は、ハードウェア１９、ソフトウェア、ファームウェア、またはこれらの組み合わせで制御装置１４の各機能を実現する。
【産業上の利用可能性】
【００６８】
以上のように、この発明に係る乗客コンベアの制御装置および制御方法は、手摺遅速検出装置の点検作業の時間を短くするシステムに利用できる。
【符号の説明】
【００６９】
１  下部乗降口、  ２  上部乗降口、  ３  下部機械室、  ４  上部機械室、  ５  ステップ、  ６  インナーデッキ、  ７  移動手摺、  ８  利用者検出装置、  ９  手摺遅速検出装置、  ９ａ  ローラ、  ９ｂ  円盤、  ９ｃ  近接スイッチ、  １０  減速機、  １１  調速機、  １１ａ  円盤、  １１ｂ  キックピン、  １１ｃ  バネ、  １１ｄ  レバー、  １１ｅ  スイッチ、  １１ｆ  センサ、  １２  電動機、  １３  ブレーキ、  １４  制御装置、  １４ａ  受信部、  １４ｂ  送信部、  記憶部１４ｃ、  １４ｄ  制御部、  １５  監視センタ、  １６  公衆回線、  １７ａ  ピストン、  １７ｂ  シリンダ、  １７ｃ  アクチュエータ、  １７ｄ  ワイヤ、  １７ｅ  滑車、  １８ａ  プロセッサ、  １８ｂ  メモリ、  １９  ハードウェア
【要約】
手摺遅速検出装置の点検作業の時間を短くすることができる乗客コンベアの制御装置を提供する。乗客コンベアの制御装置は、利用者検出装置が乗客コンベアを利用する利用者を検出している際に、利用者を検出していることに対応した情報を受信する受信部と、前記受信部が利用者を検出していることに対応した情報を受信していない場合に、移動手摺の速度を検出する手摺遅速検出装置の検出精度を確認するための制御を行う制御部と、を備えた。【図１】
0006399227.tif 000002
【図２】
0006399227.tif 000003
【図３】
0006399227.tif 000004
【図４】
0006399227.tif 000005
【図５】
0006399227.tif 000006
【図６】
0006399227.tif 000007
【図７】
0006399227.tif 000008
【図８】
0006399227.tif 000009
【図９】
0006399227.tif 000010
【図１０】
0006399227.tif 000011
【図１１】
0006399227.tif 000012
【図１２】
0006399227.tif 000013
【図１３】
0006399227.tif 000014
【図１４】
0006399227.tif 000015
【図１５】
0006399227.tif 000016
【図１６】
0006399227.tif 000017